(57)【要約】【課題】必要とする部材の数を減らし、施工性の向上をも実現することのできる屋根隅部の納め構造を提供する。【解決手段】長手方向に沿って頂部（２）より左右に開いた頂片部（２１）と前記頂部（２）から延設されて左右に開いた屋根固定片部（４）とを有し、屋根固定片部（４）の開き角度が調節可能とされた矢形板金（１）と、本体瓦と同質の化粧板（６）とによる屋根隅部の納め構造であって、矢形板金（１）が屋根隅部に配設されるとともに、頂片部（２１）と屋根固定片部（４）との間の凹部（３）には化粧板（６）の一端が挿入されて屋根下地材に固定されている構造とする。【選択図】      図１
2004346685.tif 000002
【特許請求の範囲】
【請求項１】
長手方向に沿って頂部より左右に開いた頂片部と前記頂部から延設されて左右に開いた屋根固定片部とを有し、屋根固定片部の開き角度が調節可能とされた矢形板金と、本体瓦と同質の化粧板とによる屋根隅部の納め構造であって、矢形板金が屋根隅部に配設されるとともに、頂片部と屋根固定片部との間の凹部には化粧板の一端が挿入されて屋根下地材に固定されていることを特徴とする屋根隅部の納め構造。
【請求項２】
化粧板は、本体瓦が長手方向または短手方向に所定幅で切断されたものであることを特徴とする請求項１の屋根隅部の納め構造。
【請求項３】
固定具による固定位置に対応して、矢形板金の屋根固定片部には、その長手方向に凸条が設けられていることを特徴とする請求項１または２の屋根隅部の納め構造。
【発明の詳細な説明】
【０００１】
【発明の属する技術分野】
この出願の発明は、屋根隅部の納め構造に関するものである。さらに詳しくは、この出願の発明は、必要とする部材の数を減らし、施工性の向上をも実現することのできる屋根隅部の納め構造に関するものである。
【０００２】
【従来の技術】
従来より、棟部や隅棟部、ケラバ部等の屋根隅部に瓦を設置する際には、金属系の板等を役物として瓦を納めることが知られている。しかしながら、この場合瓦の色調が多様化している現在では、このような瓦の色調に適合する前記のような金属製役物を用意することは困難であり、質感において、本体瓦との調和をとるのが難しいという問題があった。このような問題の解決のため、瓦との調和を保持することのできる役物も提案されている（たとえば、特許文献１）。また、本体瓦と同質系の役物を作製して、利用することも考えられている。
【０００３】
さらにまた、図１０に例示したように、本体瓦を斜めにカットして、これを役物として、すなわちカット瓦をケラバ瓦上部分（１２）もしくはケラバ瓦横部分（１３）として、交互に重ね合わせながら設置することも考えられている。
【０００４】
【特許文献１】
特開２００１−３３６２５４号公報
【０００５】
【発明が解決しようとする課題】
しかしながら、ケラバ瓦を利用して屋根隅部を納める場合には、棟部や隅棟部、ケラバ部等の各部位ごとに適合する役物が必要となるため、部材の数が多くなるという問題があった。
【０００６】
本体瓦と同質系の役物を利用する場合では、スレート系の本体瓦と比べ非常に大きいため、施工性が悪いという問題があった。また、上記の場合と同様に各部位ごとに適合する役物を必要とし、部材の数が多くなるという問題もあった。
【０００７】
さらに、図１０のような本体瓦を斜めにカットしてカット瓦として役物とする場合には、上記のとおりカット瓦を重ね合わせて設置することから、カット瓦の端面が直線状の場合、重ね合わせていくうちにケラバ部の幅が狭くなる。そのため、本体瓦を斜めにカットしてカット瓦とする必要があり、施工が煩雑になるという問題があった。
【０００８】
そこでこの出願の発明は、以上のとおりの事情に鑑みてなされたものであって、従来の問題点を解消し、必要とする部材の数を減らし、施工性の向上をも実現することのできる、屋根隅部の新しい納め構造を提供することを課題としている。
【０００９】
【課題を解決するための手段】
この出願の発明は、上記の課題を解決する手段として、第１には、長手方向に沿って頂部より左右に開いた頂片部と前記頂部から延設されて左右に開いた屋根固定片部とを有し、屋根固定片部の開き角度が調節可能とされた矢形板金と、本体瓦と同質の化粧板とによる屋根隅部の納め構造であって、矢形板金が屋根隅部に配設されるとともに、頂片部と屋根固定片部との間の凹部には化粧板の一端が挿入されて屋根下地材に固定されていることを特徴とする屋根隅部の納め構造を提供する。
【００１０】
またこの出願の発明は、第２には、化粧板は、本体瓦が長手方向または短手方向に所定幅で切断されたものであることを特徴とする屋根隅部の納め構造を提供し、そして第３には、固定具による固定位置に対応して、矢形板金の屋根固定片部には、その長手方向に凸条が設けられていることを特徴とする屋根隅部の納め構造を提供する。
【００１１】
【発明の実施の形態】
この出願の発明は上記のとおりの特徴をもつものであるが、以下、添付した図面に沿って、その実施の形態について詳しく説明する。
【００１２】
図１は、この出願の発明の納め構造に用いる矢形板金を模式的に例示した正面図であり、図２はこの矢形板金をケラバ部に設置した実施形態を、図３は棟部または隅棟部の設置に設置した実施形態をそれぞれ例示している。
【００１３】
まず図１に沿って説明すると、この出願の発明の屋根隅部の納め構造に用いる矢形板金（１）は、長手方向に沿って頂部（２）より左右に開いた頂片部（２１）と前記頂部（２）から延設されて左右に開いた屋根固定片部（４）とを有し、この屋根固定片部（４）の開き角度は調節可能とされている。そして、この矢形板金（１）の頂片部（２１）と屋根固定片部（４）との間の凹部（３）には、化粧板（６）の一端が挿入されるとともに、屋根固定片部（４）は、固定具によって屋根に取付け固定される。また、左右の屋根固定片部（４）の間の開き角度は、矢形板金（１）が適用される屋根隅部の状態に応じて調節されることになる。なお、図１の例においては、矢形板金（１）は水切り部（５）も備えている。
【００１４】
たとえば以上の矢形板金（１）用いた屋根隅部の納め構造を説明すると、図２のケラバ部や図３の棟部、隅棟部等の屋根隅部においては、本体瓦（７）、屋根下地材（８）、支持材（９）等が配設された野路板（１０）に矢形板金（１）が配設されるとともに、頂片部（２１）と屋根固定片部（４）との間の凹部（３）には化粧板（６）の一端が挿入されて屋根下地材（８）にビスやネジ等の固定具（１１）により固定される。
【００１５】
その際に、矢形板金（１）の屋根固定片部（４）は、前記のとおり、屋根隅部の大きさや形状に合わせて任意に開き角度を調整することができるため、ケラバ部、棟部や隅棟部等の設置箇所に合わせた多種多様の役物を用意することなく、共通役物として屋根隅部において設置することができ、すっきりとした納め構造とすることができる。
【００１６】
なお、図には示していないが、前記の凹部（３）の大きさや形状等は、特に限定されるものではなく、使用する化粧板（６）の厚さや形状等に合わせることができる。
【００１７】
また、効率のよい水はけ機能を確保するために、屋根固定片部（４）の先端部には、前記のように、先端部を上側に折り返すようにして水切り部（５）が形成されている。この水切り部（５）によって、雨水が水切り部（５）に沿って軒下方向に流れるようにしている。また、水切りの機能を果たすのであれば、その形状は特に限定されるものではない。たとえば、添付した図面中では尖状型を例示しているが、コの字型や丸みを帯びたコの字型等としてもよい。
【００１８】
この出願の発明の納め構造に用いる化粧板（６）については、好適には、本体瓦（７）を所定幅で長手方向または短手方向に切断したものを使用することが考慮される。図４（Ａ）は長手方向に切断する前の本体瓦（７）を、図４（Ｂ）は矢印ａ幅で本体瓦を切断して作製した化粧板（７１）を、図４（Ｃ）は矢印ｂ幅で本体瓦を切断して作製した化粧板（７２）をそれぞれ例示している。また、図５は短手方向に切断する前の本体瓦（７）と切断して得られた複数の化粧板（７３）の内の一枚を例示している。
【００１９】
この出願の発明に用いられる化粧板（６）は、本体瓦（７）と同一の質感を有した化粧板（６）として、ケラバ部や棟部、隅棟部等の屋根隅部における納め構造に使用されるという観点から、好ましくは、本体瓦（７）を所定の幅で長手方向または短手方向に切断して、作製される。本体瓦（７）の種類や材質等は、特に限定されるものではなく、一般的な瓦も使用することができるが、窯業系建材で製造されるスレート系の瓦であることが好ましい。
【００２０】
図４のように、本体瓦（７）を長手方向に切断した場合には、化粧板（７１）は、主にケラバ部に利用され、化粧板（７２）は、主に棟部または隅棟部に利用される。一方、図５の化粧板（７３）は、本体瓦（７）を短手方向に切断して同形状、または略同形状のものを複数作製したものであって、ケラバ部や棟部または隅棟部等いずれの設置箇所においても使用することができ、また、化粧板（７３）端部に有する波形部分は任意に切断して形状を整えることもできる。
【００２１】
図６（Ａ）は図４（Ｂ）の化粧板（７１）をケラバ部に用いた例を、図６（Ｂ）は図４（Ｃ）の化粧板（７２）を棟部に用いた例をそれぞれ示している。さらに、図７（Ａ）は図５の化粧板（７３）をケラバ部に用いた例を、図７（Ｂ）では図５の化粧板（７３）を棟部に用いた例をそれぞれ示している。
【００２２】
そして、この出願の発明の構造においては、矢形板金（１）の屋根固定片部（４）に、図８のように、凸条（４１）を設けることも有効である。屋根固定片部（４）には、固定具の固定位置に対応して、長手方向全長に亘って凸条（４１）が設けられていてもよい。この凸条（４１）により、たとえば図９に例示したように、ビス等の固定具（１１）を打ち込んだ際に打ち込み部分周辺に凹みが生じにくいため、雨水等が溜まりにくい。また、この凸条（４１）によって、屋根固定片部（４）の剛性を向上させることができ、ねじれ等の変形の防止にも効果的である。
【００２３】
この出願の発明の納め構造に用いられる矢形板金（１）や固定具（１１）等は以上の例示に限られることはない。たとえば、矢形板金（１）をステンレススチール等の金属類とすることや各種の塗装・加工処理を施すこと、固定具（１１）にビスやねじ等各種のものを使用することもでき、その細部の形態において様々に可能であることは言うまでもない。
【００２４】
【発明の効果】
以上詳しく説明したとおり、この出願の発明によって、必要とする部材の数を減らし、施工性の向上をも実現することのできる屋根隅部の納め構造が提供される。
【図面の簡単な説明】
【図１】この出願の発明の納め構造において用いる矢形板金を模式的に例示した正面図である。
【図２】ケラバ部に図１の矢形板金を設置にした状態を例示した正面図である。
【図３】棟部または隅棟部に図１の矢形板金を設置した状態を例示した正面図である。
【図４】本体瓦を長手方向に切断して化粧板とした場合を例示した平面図であり、（Ａ）は切断する前の本体瓦を、（Ｂ）は矢印ａ幅で本体瓦を切断して作製した化粧板を、（Ｃ）は矢印ｂ幅で本体瓦を切断して作製した化粧板をそれぞれ示している。
【図５】短手方向に切断する前の本体瓦を例示した平面図と切断して得られた複数の化粧板の内一枚をそれぞれ例示した平面図である。
【図６】図４に例示した各化粧板を矢形板金とともにケラバ部、または棟部に設置した例を示した全体斜視図である。（Ａ）はケラバ部における設置形態を、（Ｂ）は棟部における設置形態をそれぞれ示している。
【図７】図５に例示した化粧板を矢形板金とともにケラバ部、または棟部に設置した例を示した全体斜視図であり、（Ａ）はケラバ部における設置形態を、（Ｂ）は棟部における設置形態をそれぞれ示している。
【図８】凸条を有する矢形板金の別の実施形態を例示した正面図である。
【図９】棟部または隅棟部に図８の矢形板金を設置した例を示した正面図である。
【図１０】従来の屋根隅部（ケラバ部）における瓦の納め構造を模式的に例示した全体斜視図である。
【符号の説明】
１    矢形板金
２    頂部
２１  頂片部
３    凹部
４    屋根固定片部
４１  凸条
５    水切り部
６    化粧板
７    本体瓦
７１、７２、７３  化粧板
８    屋根下地材
９    支持材
１０  野路板
１１  固定具
１２  ケラバ瓦上部分
１３  ケラバ瓦横部分
【図１】
2004346685.tif 000003
【図２】
2004346685.tif 000004
【図３】
2004346685.tif 000005
【図４】
2004346685.tif 000006
【図５】
2004346685.tif 000007
【図６】
2004346685.tif 000008
【図７】
2004346685.tif 000009
【図８】
2004346685.tif 000010
【図９】
2004346685.tif 000011
【図１０】
2004346685.tif 000012